【手続補正書】
【提出日】平成26年3月24日(2014.3.24)
【手続補正１】
【補正対象書類名】特許請求の範囲
【補正対象項目名】全文
【補正方法】変更
【補正の内容】
【特許請求の範囲】
【請求項１】
エネルギー貯蓄装置にグリーンエネルギーを充填するエネルギー充填部と、
前記エネルギー貯蓄装置により測定されたグリーンエネルギーの充填量を示す測定量情報を当該エネルギー貯蓄装置から取得する測定量情報取得部と、
前記エネルギー充填部により充填されたグリーンエネルギーの充填量と、前記測定量情報に示されたグリーンエネルギーの充填量とが一致した場合に、前記エネルギー貯蓄装置に充填されたグリーンエネルギーの量を証明するための証明書を発行する証明書発行部と、
を備え、
前記証明書は、前記エネルギー貯蓄装置と対応付けて管理され、当該証明書により証明される量のグリーンエネルギーが前記エネルギー貯蓄装置から出力された場合に破棄される、
エネルギー充填装置。
【請求項２】
証明書を管理する管理システムに対し、前記証明書発行部により生成された証明書を提供する証明書提供部をさらに備え、
前記管理システムは、前記証明書と前記エネルギー貯蓄装置とを対応付けて管理し、当該証明書により証明される量のグリーンエネルギーが前記エネルギー貯蓄装置から出力された場合に当該証明書を破棄する、
請求項１に記載のエネルギー充填装置。
【請求項３】
前記証明書発行部により生成された証明書を前記エネルギー貯蓄装置に提供する証明書提供部をさらに備え、
前記エネルギー貯蓄装置は、前記証明書提供部により提供された証明書を保持し、当該証明書により証明される量のグリーンエネルギーを出力した場合に当該証明書を破棄する、
請求項１に記載のエネルギー充填装置。
【請求項４】
前記測定量情報取得部は、前記測定量情報と共に電子署名を取得し、当該電子署名を用いて前記測定量情報の正当性を確認し、
前記証明書発行部は、前記測定量情報の正当性が確認され、かつ、前記エネルギー充填部により充填されたグリーンエネルギーの充填量と、前記測定量情報に示されたグリーンエネルギーの充填量とが一致した場合に、前記エネルギー貯蓄装置に充填されたグリーンエネルギーの量を証明するための証明書を発行する、
請求項２または３に記載のエネルギー充填装置。
【請求項５】
エネルギーを入力するためのエネルギー入力部と、
エネルギーを出力するためのエネルギー出力部と、
エネルギーを貯蓄するエネルギー貯蓄部と、
前記エネルギー入力部を介して入力されたグリーンエネルギーの量を測定し、当該グリーンエネルギーの量を示す測定量情報を生成する測定量情報生成部と、
前記グリーンエネルギーを入力したエネルギー充填装置に前記測定量情報を提供し、入力されたグリーンエネルギーの量を証明するための証明書の発行を要求する証明書要求部と、
前記エネルギー充填装置から前記証明書を取得する証明書取得部と、
前記証明書を保持する証明書保持部と、
前記証明書により証明される量のグリーンエネルギーを出力した場合に当該証明書を破棄する証明書破棄部と、
を備える、
エネルギー貯蓄装置。
【請求項６】
エネルギー貯蓄装置からグリーンエネルギーの供給を受けた場合に、当該エネルギー貯蓄装置から供給を受けたグリーンエネルギーの量を測定する測定部と、
前記エネルギー貯蓄装置に対応付けて管理され、当該エネルギー貯蓄装置に貯蓄されたグリーンエネルギーの量を証明するための証明書を取得する証明書取得部と、
前記エネルギー貯蓄装置から供給を受けたグリーンエネルギーの量Ｘが前記証明書により証明されるグリーンエネルギーの量Ｙよりも少ない場合に、両者の差分（Ｙ−Ｘ）に対応するグリーンエネルギーの量を証明するための証明書を発行する証明書発行部と、
を備え、
前記証明書取得部により取得された証明書は破棄され、前記証明書発行部により発行された証明書は前記エネルギー貯蓄装置に対応付けて管理される、
エネルギー消費装置。
【請求項７】
前記証明書取得部は、証明書を管理する管理システムから前記証明書を取得し、
前記エネルギー消費装置は、前記証明書発行部により発行された証明書を前記管理システムに提供する証明書提供部をさらに備える、
請求項６に記載のエネルギー消費装置。
【請求項８】
前記証明書取得部は、前記エネルギー貯蓄装置から前記証明書を取得し、
前記エネルギー消費装置は、前記証明書発行部により発行された証明書を前記エネルギー貯蓄装置に提供する証明書提供部をさらに備える、
請求項６に記載のエネルギー消費装置。
【請求項９】
グリーンエネルギーの供給を受けて動作している場合に利用可能な第１の機能と、エネルギーの種類に依らずに利用可能な第２の機能とを提供する機能提供部をさらに備える、
請求項７または８に記載のエネルギー消費装置。
【請求項１０】
グリーンエネルギーの消費量に応じて付加的なサービスを提供するサービス提供システムに対し、前記エネルギー貯蓄装置から供給を受けたグリーンエネルギーの量を通知するグリーンエネルギー量通知部をさらに備え、
前記グリーンエネルギー量通知部は、自装置を識別するための装置情報と、前記グリーンエネルギーの量とを対応付けて前記サービス提供システムに通知する、
請求項７または８に記載のエネルギー消費装置。
【請求項１１】
前記サービス提供システムは、ユーザと前記装置情報とを対応付けたユーザ情報を取得し、前記グリーンエネルギー量通知部により通知された装置情報に対応するユーザに対し、前記付加的なサービスを提供する、
請求項１０に記載のエネルギー消費装置。
【請求項１２】
前記サービス提供システムから各ユーザに関するグリーンエネルギーの利用状況を取得し、取得したグリーンエネルギーの利用状況を示す情報を表示する状況表示部をさらに備える、
請求項１１に記載のエネルギー消費装置。
【請求項１３】
前記サービス提供システムは、利用したグリーンエネルギーの量が多い順にユーザをランキングし、
前記状況表示部は、前記グリーンエネルギーの利用状況を示す情報として前記ランキングの結果を表示する、
請求項１２に記載のエネルギー消費装置。
【請求項１４】
エネルギー充填装置が、
エネルギー貯蓄装置にグリーンエネルギーを充填するステップと、
前記エネルギー貯蓄装置により測定されたグリーンエネルギーの充填量を示す測定量情報を当該エネルギー貯蓄装置から取得するステップと、
前記エネルギー貯蓄装置に充填したグリーンエネルギーの充填量と、前記測定量情報に示されたグリーンエネルギーの充填量とが一致した場合に、前記エネルギー貯蓄装置に充填したグリーンエネルギーの量を証明するための証明書を発行するステップと、
を含み、
前記証明書は、前記エネルギー貯蓄装置と対応付けて管理され、当該証明書により証明される量のグリーンエネルギーが前記エネルギー貯蓄装置から出力された場合に破棄される、
グリーンエネルギーの管理方法。
【請求項１５】
エネルギー貯蓄装置が、
入力されたグリーンエネルギーの量を測定し、当該グリーンエネルギーの量を示す測定量情報を生成するステップと、
前記グリーンエネルギーを入力したエネルギー充填装置に前記測定量情報を提供し、入力されたグリーンエネルギーの量を証明するための証明書の発行を要求するステップと、
前記エネルギー充填装置から前記証明書を取得するステップと、
前記証明書を保持するステップと、
前記証明書により証明される量のグリーンエネルギーを出力した場合に当該証明書を破棄するステップと、
を含む、
グリーンエネルギーの管理方法。
【請求項１６】
エネルギー消費装置が、
エネルギー貯蓄装置からグリーンエネルギーの供給を受けた場合に、当該エネルギー貯蓄装置から供給を受けたグリーンエネルギーの量を測定するステップと、
前記エネルギー貯蓄装置に対応付けて管理され、当該エネルギー貯蓄装置に貯蓄されたグリーンエネルギーの量を証明するための証明書を取得するステップと、
前記エネルギー貯蓄装置から供給を受けたグリーンエネルギーの量Ｘが前記証明書により証明されるグリーンエネルギーの量Ｙよりも少ない場合に、両者の差分（Ｙ−Ｘ）に対応するグリーンエネルギーの量を証明するための証明書を発行するステップと、
を含み、
取得された証明書は破棄され、発行された証明書は前記エネルギー貯蓄装置に対応付けて管理される、
グリーンエネルギーの管理方法。